(57)【要約】    【課題】木造一戸建て住宅と同等の住宅において、広くはない敷地でも車椅子で住宅の内外移動が容易で、健康的なバリアフリー住宅を提供する。    【解決手段】  住宅の主要構造部であり骨組みをなす主柱１、主柱を連結する梁２に鉄骨を採用し、住宅の最下階の床の高さＨを床の直下の地面ＧＬから床の上面ＦＬまで２０ｃｍ以下とし、住宅の開口部４の外にスロープ５を設け、住宅の居住者が住宅の内外を車椅子で移動可能とした。スロープは傾斜が５パーセント以下であり、床の直下の地面に、砕石を敷き、砕石の上にコンクリートを流し固め、コンクリートの上に備長炭を敷き、備長炭の上に床を構成する床材を張って最下階の床を構築する。    【選択図】図１
2005139647.tif 000002
【特許請求の範囲】
【請求項１】
住宅の主要構造部であり骨組みをなす主柱（１）、前記主柱を連結する梁（２）に鉄骨を採用し、前記住宅の最下階の床の高さ（Ｈ）を前記床の直下の地面から前記床の上面まで２０ｃｍ以下とし、前記住宅の開口部（４）の外にスロープ（５）を設け、前記住宅の居住者が前記住宅の内外を車椅子で移動可能としたことを特徴とするバリアフリー住宅。
【請求項２】
前記スロープは傾斜が５パーセント以下であることを特徴とする請求項１記載のバリアフリー住宅。
【請求項３】
前記床の直下の地面に、石（６）を敷き、前記石の上にコンクリート（７）を流し固め、前記コンクリートの上に調湿剤（８）を敷き、前記調湿剤の上に前記床を構成する床材（９）を張って前記最下階の床を構築したことを特徴とする請求項１または２記載のバリアフリー住宅。
【発明の詳細な説明】
【技術分野】
【０００１】
この発明はバリアフリー住宅に係り、特に車椅子で住宅の内外移動が容易なバリアフリー住宅に関する。
【背景技術】
【０００２】
従来の一戸建て住宅は、基礎の上に土台を置き、その上に柱を立て、柱の上に桁・梁を置いて軸組みを造り、その上に小屋組みを組み、瓦などで屋根をつくる木造住宅が殆どである。そして高温多湿という日本の気候風土やシロアリの害等を考慮し、人間の健康を図る上から、建築基準法（第２２条）で木造住宅の床高は４５ｃｍ以上と定められ、その高低差は、玄関先の階段や框等に分散させ、出入りしやすいよう処理されている。
【０００３】
近年、高齢者の増加や身体障害者の社会参加に伴い、集合住宅・一戸建て住宅を問わず建物内の床面の段差を解消したバリアフリー住宅が推奨され、健常者にもそれは歓迎されている。
【０００４】
このような住居内のバリアフリー化により、車椅子利用者も住居内の移動・活動が可能になってきた。（例えば、特許文献１、２参照）。
【０００５】
【特許文献１】特開２００２−５４３１１号公報
【特許文献２】特開２００１−３１７１７０号公報
【発明の開示】
【発明が解決しようとする課題】
【０００６】
しかしながら、住宅の内外移動となると、建築基準法により床高は４５ｃｍ以上を求められている木造住宅の場合、その大きな高低差がネックとなり、玄関等の出入り口に車椅子の移動に適したスロープを設けるためには、相当広い敷地が必要となり、一般住宅では実情としてスロープを設けることが困難である。
【０００７】
床下を、土の代わりに防湿のためのコンクリートを使った土間を採用する”土間コンクリート”の鉄骨住宅では、建築基準法の緩和策の適用により、床高は４５ｃｍ以上という制約はなくなる。これは段差の解消には便利であるが、室内が湿気を帯びたり、かびが発生しやすく、適切な防水処置が施されないと床下のコンクリートの上に水が入ることがあってかえって床下が腐蝕する等、防湿・防水の問題が発生しやすく、また、コンクリートの上に床材が張られるので膝に負担がかかりやすく、膝に水がたまる等の疾病を生じやすいという難点がある。
【０００８】
本発明が解決しようとする課題は、木造一戸建て住宅と同等の住宅において、広くはない敷地でも車椅子で住宅の内外移動が容易なスロープを備え、健康な生活に適したバリアフリー住宅を提供することである。
【課題を解決するための手段】
【０００９】
本発明の第１の態様であるバリアフリー住宅は、住宅の主要構造部であり骨組みをなす主柱、主柱を連結する梁に鉄骨を採用し、住宅の最下階の床の高さを床の直下の地面から床の上面まで２０ｃｍ以下とし、住宅の開口部の外にスロープを設け、住宅の居住者が住宅の内外を車椅子で移動可能としたものである。
【００１０】
本発明の第２の態様であるバリアフリー住宅は、スロープは傾斜が５パーセント以下である。
【００１１】
本発明の第３の態様であるバリアフリー住宅は、床の直下の地面に、石を敷き、石の上にコンクリートを流し固め、コンクリートの上に調湿剤を敷き、調湿剤の上に床を構成する床材を張って最下階の床を構築したものである。
【発明の効果】
【００１２】
本発明のバリアフリー住宅の請求項１によれば、主柱と梁に鉄骨を採用することにより、木造住宅の床高は４５ｃｍ以上という建築基準法の制約はなくなって、狭い敷地でも室内外の出入り口に緩やかなスロープを構成することができる。
【００１３】
また、本発明のバリアフリー住宅の請求項２によれば、緩やかなスロープによって車椅子の移動が容易になる。
【００１４】
また、本発明のバリアフリー住宅の請求項３によれば、最下階の床下への防水対応に適し、住宅の床下の腐蝕を怖れることもない。
【発明を実施するための最良の形態】
【００１５】
以下、本発明のバリアフリー住宅における好ましい実施の形態例について、図面を参照して詳細に説明する。
【００１６】
図１、図２に示すように、本発明のバリアフリー住宅は、住宅の主要構造部であり骨組みをなす主柱１と主柱１を連結する梁２に鉄骨を採用するラーメン構造であり、各主柱１を連結するため、地中にも鉄骨の梁２が入っている。鉄骨としては鋼材の厚さが６ｍｍ以上の重量鉄骨造が好適であるが、６ｍｍ未満の軽量鉄骨造も同様に好適である。
【００１７】
鉄骨の採用により、木造住宅に適用される床の直下の地面ＧＬから住宅の最下階の床の上面ＦＬまでの高さ（以下、床下高さＨ）４５ｃｍという建築基準法の制約が外され、床下高さＨを２０ｃｍ以下、より望ましくは１８ｃｍとすることができる。
【００１８】
さらに本発明のバリアフリー住宅では、住宅の開口部４の外にスロープ５を設ける。開口部としては掃出し窓４が望ましい。開口部として玄関、その他の開口部戸口にスロープ５を設けても同様に好適であるが、車椅子の回転動作にはスペースを多く必要とするので、スロープ５の上下それぞれに余裕あるスペースが確保し易い掃出し窓４が最適である。
【００１９】
また、スロープ５は傾斜が急では昇り降りに危険や困難を伴うので、適度に緩やかなことが望ましく、図３（ａ）、（ｂ）に示すように、傾斜（Ｈ／Ｄ）を３〜５パーセントとするのが最適である。傾斜をより緩やかするとスロープ５が長くなり、広い敷地が必要となるし、登り時にスロープ５上を車椅子の車輪を何回もこいで動かすことは望ましくないので４回前後こいで上れるよう、緩やかにかつ短く設定する。
【００２０】
本発明のバリアフリー住宅において、床下高さＨを２０ｃｍ以下とするため最下階の床を構築するにあたり、図３（ａ）、（ｂ）に示すように、床の直下の地面ＧＬを掘り下げ、先ず砕石６を敷き固め、砕石６の上に防湿シート１２を布設する。防湿シート１２の上にコンクリート７を流し固め、コンクリート７表面を地表面ＧＬに一致させる。このとき、砕石６およびコンクリート７の厚さともに１０〜１４ｃｍ、より好ましくはともに１２ｃｍが採用される。
【００２１】
このコンクリート７の上に１０根太１０、１０、…を設置する。根太１０は周囲を調整モルタル１１で固めらている。根太１０、１０、…間の空間には調湿剤として備長炭８が敷き込まれ、備長炭８の厚さは７〜９ｃｍ、より好ましくは８ｃｍが採用される。
【００２２】
備長炭８には無数の小穴があり、湿度が高いときには吸湿して床下を乾燥させ、逆に乾燥時には内包する水分を放出して床下の過乾燥を防ぐと共に、脱臭効果も高い。更に、遠赤外線を発生するので健康にも益するものである。
【００２３】
床下高さＨが１８ｃｍで、傾斜（Ｈ／Ｄ）を５パーセントとすると、スロープ５の長さは４ｍ強となり、普通の住宅でも確保可能な長さといえる。
【００２４】
備長炭８の上に数ｍｍの空間を残した状態で床を構成する公知の床材９が張られる。
【００２５】
なお、図３に示すように、鉄骨の柱１は基礎工事された砕石６の上に基礎１３を設け、この基礎１３の上に設置した土台１４の上に組立てられる。
【００２６】
このように構成された本発明のバリアフリー住宅では、住宅の主要構造部であり骨組みをなす主柱１と、主柱１を連結する梁２が鉄骨造のため、柱１９や、すじかい３のような斜め材は省略も可能となり、そのぶん自由な間取りや広い開口部の設置が可能となる。また、重量鉄骨造とすることによって、耐震性、耐風性に優れ、十分な防錆措置を施せば耐久性にも優れ、メンテナンスが低コストとなり、また、火災保険が廉価となる等のメリットを生じる。
【００２７】
さらに、掃出し窓４に傾斜が３〜５パーセントのスロープ５を設けたので、緩やかにかつ短いスロープ５利用して、車椅子で室内外の移動が容易となる
また、床下は、先ず砕石６を敷き固め、砕石６の上に防湿シート１２を布設し、その上にコンクリート７を流し固めて地表面ＧＬに一致させ、その上に１０根太１０、１０、…を設置し、根太１０間の空間に備長炭８を敷き込むので、床下の湿度調節、脱臭、遠赤外線の発生により健康にも益するものである。
【００２８】
このように、本発明によるバリアフリー住宅では、木造一戸建て住宅と同等の住宅において、広くはない敷地でも車椅子で住宅の内外移動が容易なスロープを備え、健康な生活に適したバリアフリー住宅を提供が容易となる。
【図面の簡単な説明】
【００２９】
【図１】本発明によるバリアフリー住宅の一実施例の構成を示す図である。
【図２】本発明によるバリアフリー住宅において鉄骨の採用を示す図である。
【図３】本発明によるバリアフリー住宅における床の構築を示す図で、（ａ）は傾斜の説明図、（ｂ）は地面床下近傍の説明図である。
【符号の説明】
【００３０】
１…主柱
２…梁
４…開口部
５…スロープ
６…砕石
７…コンクリート
８…備長炭
９…床材
Ｈ…床の高さ
【図１】
2005139647.tif 000003
【図２】
2005139647.tif 000004
【図３】
2005139647.tif 000005